(57)【要約】【課題】  トイレ用ブラシを収納ケース内に吊り下げて収納できるようにする。【解決手段】  トイレ用ブラシ１０は、棒体から成る柄部１１と、この柄部１１の下端に設けたラシ部１２とから構成されている。柄部１１は、直棒状の把持部１１ａと、「く」の字状に湾曲した曲棒部１１ｂとから成る。把持部１１ａと曲棒部１１ｂの中間部であって、曲棒部１１ｂの湾曲方向と反対側の把持部１１ａの下部に、トイレ用ブラシ１０を収納ケースに係止して吊り下げるための係止溝１１ｃが把持部１１ａの長手方向に窪んだ状態で設けられている。係止溝１１ｃを収納ケース２０の開口部２０ｃに引っ掛けて係止する。開口部２０ｃに係止して吊り下げても、ブラシ部１２は収納ケース２０の内壁２０ａに当接することはなく、水が垂れても水は底部２０ｂに直接滴下するので、収納ケース２０の内壁２０ａを汚すこともない。【選択図】図５
2015080522.tif 000002
【特許請求の範囲】
【請求項１】
直棒状の把持部と、該把持部と連続する曲棒部と、該曲棒部の下端に設けたブラシ部とから成るトイレ用ブラシ、及び該トイレ用ブラシを収納し保持する収納ケースから構成するトイレ清掃用具であって、
前記トイレ用ブラシは前記把持部と前記曲棒部との中間部に前記直棒部の長手方向に窪んだ係止溝を有し、下方に延在し前記係止溝の片側の壁部を始点として前記曲棒部が連続し、
前記収納ケースは上縁に開口部を有し、該開口部の縁部に前記係止溝を係止することで前記収納ケース内に前記トイレ用ブラシを吊り下げて保持することを特徴とするトイレ清掃用具。
【請求項２】
前記収納ケースは円筒体としたことを特徴とする請求項１に記載のトイレ清掃用具。
【請求項３】
前記湾曲部は「く」の字状に湾曲し、前記収納ケースの開口部の縁部に前記トイレ用ブラシの係止溝を係止した状態において、前記ブラシ部が収納ケースの内壁に当接しないことを特徴とする請求項１又は２に記載のトイレ清掃用具。
【請求項４】
前記ブラシ部の先端は略９０度上方に向けて折曲していることを特徴とする請求項１〜３の何れか１項に記載のトイレ清掃用具。
【請求項５】
前記ブラシ部の先端に空洞部を設けたことを特徴とする請求項１〜４の何れか１項に記載のトイレ清掃用具。
【発明の詳細な説明】
【技術分野】
【０００１】
本発明は、トイレの便器に付着した汚れ等を除去するために使用するトイレ用ブラシと、このトイレ用ブラシを収容する収納ケースとから成るトイレ清掃用具に関するものである。
【背景技術】
【０００２】
特許文献１には、先端にブラシ部を設けたトイレ清掃具と、このトイレ清掃具を収容する収納ケースとが開示されており、トイレ清掃具で便器の清掃を行った後に収納ケースに収容して保管する。
【０００３】
特許文献１、２のトイレ清掃具は、何れも収容時にトイレ清掃具の柄を配置する向きが決まっており、ケース上方の開口部に対してブラシ部が下に向くようにしてトイレ清掃具を収容する。
【０００４】
また、特許文献３の図４、図５には、容器の開口部に鍔部を支持させるトイレ清掃具が開示されており、このトイレ清掃具は容器に対して任意の方向から収納することができる。
【先行技術文献】
【特許文献】
【０００５】
【特許文献１】登録実用新案第３０４６７７８号
【特許文献２】特開２００６−１６６９９１号公報
【特許文献３】特開２００１−３４６７４９号公報
【発明の概要】
【発明が解決しようとする課題】
【０００６】
トイレ清掃具を収容する収納ケースはトイレ内の隅に置いて使用し、収納ケース自体を移動させることは少ない。収納ケースの背面又は側面をトイレ壁部に接するように配置するため、トイレ清掃具の取り出し、収容する方向は決まってしまう。
【０００７】
収納ケースの設置場所が悪いと、無理な手首の角度でトイレ清掃具を収容することになり、場合によってはトイレ壁部にトイレ清掃具のブラシ部を接触させてしまい、汚水が壁に付着することがあり、不衛生である。更に、利き腕が異なるとトイレ清掃具が一層、取り出し及び収容し難くなる場合もある。
【０００８】
また、特許文献１の収納ケース等には前面開口部を備えるため、トイレ清掃具の出し入れの際は前面開口部の開閉も行う必要がある。更には、収納ケースへトイレ清掃具を収納した際に、ブラシ部の一部が収納部の壁面等に接することがあり、ブラシ部が乾き難くなるという問題もある。
【０００９】
また、特許文献３に開示のトイレ清掃具と容器の場合に、ブラシ部が容器の壁面等に接することがないものの、特許文献２のような柄部が湾曲してブラシ部と連結しているトイレ清掃具を収納する際は、容器の直径は大きくならざるを得ない。更に、トイレ清掃具は柄中心から重心がずれるため、鍔部の一部に荷重が集中し鍔部が変形し易くなると共に、鍔部により容器の開口部が塞がれてしまい、ブラシ部が乾き難くなるという問題もある。
【００１０】
本発明の目的は、上述の課題を解決し、トイレ用ブラシを収納ケース内に吊り下げて収納できるトイレ清掃用具を提供することにある。
【課題を解決するための手段】
【００１１】
上記目的を達成するための本発明に係るトイレ清掃用具は、直棒状の把持部と、該把持部と連続する曲棒部と、該曲棒部の下端に設けたブラシ部とから成るトイレ用ブラシ、及び該トイレ用ブラシを収納し保持する収納ケースから構成するトイレ清掃用具であって、前記トイレ用ブラシは前記把持部と前記曲棒部との中間部に前記直棒部の長手方向に窪んだ係止溝を有し、下方に延在し前記係止溝の片側の壁部を始点として前記曲棒部が連続し、前記収納ケースは上縁に開口部を有し、該開口部の縁部に前記係止溝を係止することで前記収納ケース内に前記トイレ用ブラシを吊り下げて保持することを特徴とする。
【発明の効果】
【００１２】
本発明に係るトイレ清掃用具によれば、トイレ用ブラシの柄部の中間に係止溝部を設け、係止溝部を円筒状の収納ケースの開口部の縁部に引っ掛けるように係合させることで、任意の方向からトイレ用ブラシを収納ケースに収容することができる。
【００１３】
また、係止溝部付近から係止溝部の反対側の方向に向かって柄部を「く」字状に湾曲させることとで、収納ケースに収容時にブラシ部がケース壁面に接触することがなく、かつ収納ケースの開口部が塞がれることがないので、乾燥し易くなり衛生的である。
【図面の簡単な説明】
【００１４】
【図１】トイレ用ブラシの斜視図である。
【図２】ブラシ部の拡大断面図である。
【図３】ブラシ部による清掃状態の説明図である。
【図４】トイレ用ブラシを収納ケースに収納した状態の斜視図である。
【図５】断面図である。
【発明を実施するための形態】
【００１５】
本発明を図示の実施例に基づいて詳細に説明する。
図１は実施例のトイレ用ブラシの斜視図であり、トイレ用ブラシ１０は主として、合成樹脂製又は軽金属製の棒体から成る柄部１１と、この柄部１１の下端に取り付けたブラシ部１２とから構成されている。
【００１６】
柄部１１は、手で握るための直棒状の把持部１１ａと、この把持部１１ａの下端に連続して形成された曲棒部１１ｂとから成っている。把持部１１ａは、上下に分割可能であり、下部の部位が把持部１１ａと一体に連続している。上下の部位は嵌合手段により結合しているが、これらの結合は螺子の螺合手段等、適宜の結合手段も用いてもよい。
【００１７】
また、把持部１１ａと曲棒部１１ｂの中間部であって、曲棒部１１ｂの湾曲方向と反対側の把持部１１ａの下部に、トイレ用ブラシ１０を後述する収納ケースに係止して吊り下げるための係止溝１１ｃが把持部１１ａの長手方向に窪んだ状態で設けられている。下方に延在し、係止溝１１ｃの片側の壁部１１ｄを始点として「く」の字状に湾曲した曲棒部１１ｂが連続している。
【００１８】
図２はブラシ部１２の拡大断面図である。ブラシ部１２においては、曲棒部１１ｂの下端に合成樹脂材から成る芯材部１３が連結されている。芯材部１３は曲棒部１１ｂに接続する円筒状の接続部１３ａと、この接続部１３ａから斜め下方向に延在する矩形状の板状体１３ｂとから成っている。ブラシ部の先端であって、板状体１３ｂの長手方向の先端部１３ｃは緩やかに略９０度上方に向けて折曲されている。
【００１９】
板状体１３ｂ、先端部１３ｃはその長手方向を囲むように、巻付部材１４により覆われている。巻付部材１４は内層のスポンジ状の吸水層１４ａと外層のフェルト状の摺擦層１４ｂとから構成され、吸水層１４ａの厚みは摺擦層１４ｂの厚みに比べて若干厚くなっている。吸水層１４ａはポリウレタン等の合成樹脂を発泡成形した合成スポンジから成り、摺擦層１４ｂは硬質の天然繊維、化学繊維、又はナイロン等から成る不織布を平面状に固めたものであり、水透過性を有しており、この摺擦層１４ｂには研磨剤を含有することもできる。なお、摺擦層１４ｂはその他にも、例えば表面に刷毛状の突起を設けた合成樹脂の成型品であってもよい。
【００２０】
板状体１３ｂの幅は巻付部材１４の幅よりも十分に狭く、巻付部材１４と板状体１３ｂに巻き付けた状態では図１に示すように、板状体１３ｂ、先端部１３ｃは側方からは見えない。
【００２１】
吸水層１４ａと摺擦層１４ｂとを重ねた巻付部材１４の一方の端部は、接続部１３ａの基部付近の板状体１３ｂの近傍に配置され、可撓部１４ｃを設けた状態で板状体１３ｂと先端部１３ｃを取り囲むように例えば接着剤等で固定されている。板状体１３ｂの先端部１３ｃの先方に位置する巻付部材１４は、前方に突出して２つ折りにし、重ね合わせた状態になっている。この重ね合わせた個所は、芯材部１３がない状態の柔軟な可撓部１４ｃとされている。なお、必要に応じてブラシ部１２の先端にある可撓部１４ｃに空洞部１４ｄを設けることもできる。
【００２２】
押さえ板１５の基部は斜め方向を向く円筒部１５ａを有し、芯材部１３の接続部１３ａはこの円筒部１５ａにより覆われている。また、円筒部１５ａ及び芯材部１３はピン１６により曲棒部１１ｂに固定されている。
【００２３】
更に、曲棒部１１ｂに固定された押さえ板１５と芯材部１３とにより、巻付部材１４は押さえ付けられて圧縮した状態で固定されている。巻付部材１４の両端付近の一部は、重なった状態で板状体１３ｂと押さえ板１５により強固に固定されているので、ブラシ部１２を被清掃面に激しく擦り付けたとしても、巻付部材１４はその端部から剥がれることはない。
【００２４】
トイレ用ブラシ１０の使用に際しては、ブラシ部１２を水に浸すなどして、吸水層１４ａに水を含ませ、ごわごわした摺擦層１４ｂに洗剤等を付して、吸水層１４ａから水を絞り出しながら、摺擦層１４ｂにより便器の壁面等の被清掃面を摺擦して清掃を行う。また、洗剤を使用する際は、吸水層１４ａに圧縮、膨張により洗剤の泡が発生し易くなり、水透過性を有する摺擦層１４ｂにより泡立てた洗剤を被清掃面に擦り付けて掃除を行うことができる。
【００２５】
図３は便器開口部の縁部の裏側Ａに、トイレ用ブラシ１０のブラシ部１２を押し込んだ状態の斜視図である。巻付部材１４の先端は可撓部１４ｃを備えているため、押し込みにより可撓部１４ｃは柔軟に変形する。この変形により、様々な形状を有する便器開口部の裏側Ａに対して、巻付部材１４を隅々まで入り込ませることができる。また、略９０度に折曲した先端部１３ｃにより、最適な角度で把持部１１ａを把持することができ、掃除を簡便に行うことができる。
【００２６】
更に、掃除が終了し水切りをする際は、トイレ用ブラシ１０のブラシ部１２を便器の壁面に板状体１３ｂ及び先端部１３ｃの形状に沿って押し付けると、吸水層１４ａが圧縮され、水が排出される。このため、従来例の不織布のみのトイレ用ブラシと比べて水切りが良好となる。
【００２７】
図４及び図５はトイレ用ブラシ１０を収納ケース２０に収納した状態の斜視図及び断面図であり、収納ケース２０は円筒状で内壁２０ａ、底部２０ｂを有する容器である。トイレ用ブラシ１０の柄部１１の中間部に設けた係止溝１１ｃを収納ケース２０の上縁の任意位置の開口部２０ｃに引っ掛けて係止する。ブラシ部１２は湾曲した曲棒部１１ｂに連結しているため、係止溝１１ｃを収納ケース２０の開口部に吊り下げて係止しても、係止溝１１ｃの下方は曲棒部１１ｂとされているため、ブラシ部１２は収納ケース２０の内壁２０ａに当接することはない。
【００２８】
また、係止溝１１ｃの近傍の把持部１１ａは直線状であるため、把持部１１ａは鉛直状態に保持され、かつブラシ部１２と曲棒部１１ｂと重さとのバランスから、柄部１１は直立し内側又は外側に倒れ込むことはない。従って、収納ケース２０内に水が垂れても水は収納ケース２０から底部２０ｂに直接滴下するので、収納ケース２０の内壁２０ａを汚すこともない。
【００２９】
このようにトイレ用ブラシ１０の水を除去してから収納ケース２０に収納すれば、乾燥も容易であり、カビ等を発生することなく、衛生的である。
【符号の説明】
【００３０】
１０  トイレ用ブラシ
１１  柄部
１１ａ  把持部
１１ｂ  曲棒部
１１ｃ  係止溝
１２  ブラシ部
１３  芯材部
１３ａ  接続部
１３ｂ  板状体
１３ｃ  先端部
１４  巻付部材
１４ａ  吸水層
１４ｂ  摺擦層
１４ｃ  可撓部
１４ｄ  空洞部
２０  収納ケース
２０ａ  内壁
２０ｂ  底部
２０ｃ  開口部
【図１】
2015080522.tif 000003
【図２】
2015080522.tif 000004
【図３】
2015080522.tif 000005
【図４】
2015080522.tif 000006
【図５】
2015080522.tif 000007